(57)【要約】 【課題】ＰＣＢ等の廃棄物を収納したドラム缶の転倒や破損を防止して効率よく安全に運搬できて使い勝手に優れる上、仮に運搬途中でドラム缶からＰＣＢ等が漏れ出す不測の事態が生じても吸収できて安全確保に万全が期されたドラム缶運搬容器を提供する。【解決手段】ドラム缶１を直立状態で位置決め固定し運搬する容器Ａであって、当該容器Ａは底板部２と四方の側板部３・・・と上面を被覆する蓋部４で密封可能に構成され、その中空内部は上側のドラム缶収納用スペースＳと下側の廃棄物吸収用スペースＫに形成され、前記収納用スペースＳで位置決めされたドラム缶１に充填された廃棄物Ｐが漏れた際の当該廃棄物Ｐを吸収する吸収材が、前記吸収用スペースＫに配設可能に構成されている。【選択図】       図１
0003110446.tif 000002
【実用新案登録請求の範囲】
【請求項１】
ドラム缶を直立状態で位置決め固定し運搬する容器であって、当該容器は底板部と四方の側板部と上面を被覆する蓋部で密封可能に構成され、その中空内部は上側のドラム缶収納用スペースと下側の廃棄物吸収用スペースに形成され、前記収納用スペースで位置決めされたドラム缶に充填された廃棄物が漏れた際の当該廃棄物を吸収する吸収材が、前記吸収用スペースに配設可能に構成されていることを特徴とする、ドラム缶運搬容器。
【請求項２】
底板部から所定の高さ位置に水平フレームが複数設置され、当該水平フレームの上側がドラム缶収納用スペースとして、その下側が吸収用スペースとして形成されて成ることを特徴とする、請求項１に記載したドラム缶運搬容器。
【請求項３】
ドラム缶収納用スペースにおける側板部の内側に、ドラム缶の収納を案内して位置決めするガイド部材が設置されていることを特徴とする、請求項１又は２に記載したドラム缶運搬容器。
【請求項４】
側板部の外周面に、昇降用の外側階段部が設けられていることを特徴とする、請求項１〜３のいずれか１項に記載したドラム缶運搬容器。
【請求項５】
側板部の内周面に、昇降用の内側階段部が設けられていることを特徴とする、請求項１〜４のいずれか１項に記載したドラム缶運搬容器。
【請求項６】
側板部の上部に、可倒自在な段積み受部材が取り付けられており、当該段積み受部材の起立状態で他のドラム缶運搬容器を段積み可能に構成されていることを特徴とする、請求項１〜５のいずれか１項に記載したドラム缶運搬容器。
【請求項７】
蓋部の裏面外周に下向きの突条部が取り付けられ、この突条部が側板部の上部内側へ嵌挿されることにより、ドラム缶収納用スペースが被蓋自在に構成されていることを特徴とする、請求項１〜６のいずれか１項に記載したドラム缶運搬容器。
【考案の詳細な説明】
【技術分野】
【０００１】
本考案は、ドラム缶運搬容器に属し、さらに言えば、ポリ塩化ビフェニル（以下、ＰＣＢという）等の廃棄物をドラム缶に入れて処分するために運搬する容器の技術分野に関する。
【背景技術】
【０００２】
ＰＣＢは、絶縁性や不燃性に優れ、高圧トランスやコンデンサ等の電気機器その他多種多様の商品に使用されてきた。しかし、人体への有毒や環境汚染が深刻化し社会問題化されてきており、国際的にはＰＣＢ等の環境に残留しやすい有機汚染物質を２０２８年までに廃絶することを定めた条約（ＰＯＰｓ条約）が平成１３年に発効している。我が国も、かかる観点からＰＣＢ廃棄物を保管する事業者に対し、平成２８年までにＰＣＢを処分することを義務づけている。
【０００３】
そこでＰＣＢを処分する化学方法としては、脱塩素化分解法、水熱酸化分解法、還元熱化学分解法、プラズマ分解法などがあるが、その処分場までＰＣＢを収納したドラム缶を、動転させずＰＣＢを漏らすことなく安全に効率よく運搬するための容器が必要となっている。また、仮に運搬途中でドラム缶からＰＣＢが漏れ出す不測の事態が生じた場合の対策も当該容器に施されていなければならない。
【０００４】
この点、例えば、特開平６−３３６２４９号公開公報に記載のドラム缶用コンテナは、正方形状のパレット（12）が、各側面部にフォーク用のポケット（14）を有し、上面に４個のドラム缶（32）を縦置きで載置され、枠体部（16）は、パレット（12）の辺部に沿って起立して、内側のドラム缶（32）を包囲し、固定壁部（18）を基準に外側へ開閉自在に構成されている。
【特許文献１】特開平６−３３６２４９号公開特許公報
【考案の開示】
【考案が解決しようとする課題】
【０００５】
前記特開平６−３３６２４９号公開公報に記載のドラム缶用コンテナは、廃棄物入りのドラム缶を確実、かつ高い収納効率で収納でき、搬入出作業を能率化できるが、万一ドラム缶が破損した場合にドラム缶内の廃棄物を吸収する構造ではない。
【０００６】
したがって、本考案が解決しようとする課題は、ＰＣＢ等の廃棄物を収納したドラム缶の転倒や破損を防止して効率よく安全に運搬できて使い勝手に優れる上、仮に運搬途中でドラム缶からＰＣＢ等が漏れ出す不測の事態が生じてもＰＣＢ等を吸収できて安全確保に万全が期されたドラム缶運搬容器を提供することにある。
【課題を解決するための手段】
【０００７】
請求項１記載の考案のドラム缶運搬容器は、ドラム缶１を直立状態で位置決め固定し運搬する容器Ａであって、当該容器Ａは底板部２と四方の側板部３・・・と上面を被覆する蓋部４で密封可能に構成され、その中空内部は上側のドラム缶収納用スペースＳと下側の廃棄物吸収用スペースＫに形成され、前記収納用スペースＳで位置決めされたドラム缶１に充填された廃棄物Ｐが漏れた際の当該廃棄物Ｐを吸収する吸収材が、前記吸収用スペースＫに配設可能に構成されていることを特徴とする。
【０００８】
請求項２記載の考案のドラム缶運搬容器は、前記底板部２から所定の高さ位置に水平フレーム５、６が複数設置され、当該水平フレーム５、６の上側がドラム缶収納用スペースＳとして、その下側が吸収用スペースＫとして形成されて成ることを特徴とする。
【０００９】
請求項３記載の考案のドラム缶運搬容器は、前記ドラム缶収納用スペースＳにおける側板部３・・・の内側に、ドラム缶１の収納を案内して位置決めするガイド部材７が設置されていることを特徴とする。
【００１０】
請求項４記載の考案のドラム缶運搬容器は、前記側板部３の外周面に、昇降用の外側階段部８が設けられていることを特徴とする。
【００１１】
請求項５記載の考案のドラム缶運搬容器は、前記側板部３の内周面に、昇降用の内側階段部９が設けられていることを特徴とする。
【００１２】
請求項６記載の考案のドラム缶運搬容器は、前記側板部３の上部に、可倒自在な段積み受部材１０が取り付けられており、当該段積み受部材１０の起立状態で他のドラム缶運搬容器Ａを段積み可能に構成されていることを特徴とする。
【００１３】
請求項７記載の考案のドラム缶運搬容器は、前記蓋部４の裏面外周に下向きの突条部１４が取り付けられ、この突条部１４が側板部３の上部内側へ嵌挿されることにより、ドラム缶収納用スペースＳが被蓋自在に構成されていることを特徴とする。
【考案の効果】
【００１４】
請求項１記載の考案は、当該容器の中空内部は上側に形成されたドラム缶収納用スペースに、複数のドラム缶を直立状態で位置決め固定して運搬するに支障ない。そして、前記ドラム缶収納用スペースの下方が予め廃棄物吸収用スペースとして形成され、そこに吸収材を配設できるので、上方に位置するドラム缶に充填されたＰＣＢ等の廃棄物が万一漏れても、その廃棄物は下方へと落ち最終的に直下の吸収用スペース内の吸収材に吸収できて不測の事態に対処できる安全確保が図られている。
【００１５】
請求項２記載の考案は、当該容器の底板部から所定の高さ位置に水平フレームが複数設置され、当該水平フレームの上側がドラム缶収納用スペースとして、その下側が吸収用スペースとして形成されているので、上下の収納用スペースと吸収用スペースが遮断されない。よって、収納用スペース上のドラム缶から万一ＰＣＢが漏れても、フレーム間の空間にＰＣＢが落とし込まれ、確実に吸収材に吸収することができる。
【００１６】
請求項３記載の考案は、ドラム缶収納用スペースにおける側板部の内側に、ドラム缶の収納を案内して位置決めするガイド部材が設置されているので、上方から容器内に降ろしてきたドラム缶を当該ガイド部材で案内しつつ簡便に位置決めでき、運搬に際してはドラム缶が当該ガイド部材で拘束され動倒防止が図られ安全性に優れている。
【００１７】
請求項４記載の考案は、当該容器の側板部の外周面に、昇降用の外側階段部が設けられているので、作業員は、この外側階段部を使って容器の内部に簡単に入り込んで作業できる利便性に優れている。
【００１８】
請求項５記載の考案は、当該容器の側板部の内周面に、昇降用の内側階段部が設けられているので、作業員は、前記外側階段部を使って容器の内部に入り込む際に、この内側階段部を使って安全に容器の中に簡単に入り込んで作業できる上、作業を終えたらこれら内外の階段部を使って容器から外に出る安全性にも優れている。
【００１９】
請求項６記載の考案は、当該容器の側板部の上部に、可倒自在な段積み受部材が取り付けられているので、当該段積み受部材を起立した状態で、他のドラム缶運搬容器をこの段積み受部材の上に段積みできて便利である。特に、その起立状態で一定の高さが確保されるから、蓋部が容器に被さった状態でも当該蓋部の上に上側の容器が載置されず荷重がかからず、当該蓋部を損傷することなく段積みすることができる。
【００２０】
請求項７記載の考案は、当該容器の蓋部の裏面外周に下向きの突条部が取り付けられているので、この突条部が側板部の上部内側へ嵌挿されることにより、ドラム缶収納用スペース内のドラム缶の上に、簡単に被蓋でき作業効率がよい。
【考案を実施するための最良の形態】
【００２１】
請求項１〜７記載の本考案に係るドラム缶運搬容器の好適な実施形態を、以下図面にしたがって説明する。本考案のドラム缶運搬容器Ａは、ＰＣＢを処分場で処分するために、当該ＰＣＢを収納したドラム缶を複数運搬するものであるが、ＰＣＢ以外の有害な廃棄物を収納して運搬するに際しても同様に実施できる。
【００２２】
図１は本実施形態におけるドラム缶運搬容器の正面図、図２は同容器の側面図、図３は同容器の内部平面図をそれぞれ示している。
【００２３】
本実施形態のドラム缶運搬容器Ａは、複数のドラム缶１・・・を直立状態で位置決め固定して収納できるスペースが確保されているほか、後述のように、当該ドラム缶１に充填されたＰＣＢ等の廃棄物Ｐが漏れた際の当該廃棄物Ｐを吸収できるスペースが確保された大きさであって、その各構成部材は基本的にステンレス製で形成されている。
【００２４】
当該容器Ａの基本的構成は、底板部２と四方の側板部３・・・と上面を被覆する蓋部４とより成り、その中空内部に複数のドラム缶１・・・を密封状態で収納可能に構成されている。
【００２５】
底板部２１は、図６に示したように、枠体２１の上面にパネル板２３が取り付けられ、前後左右のいずれの方向からでも図示を省略したフォークを差し込める角パイプ状のフォーク差し部材２０・・・が、前記パネル板２３の下面に設置されている。各フォーク差し部材２０・・・は、中空内部を確保しつつ連結体２２を介して連結されている。
【００２６】
側板部３は、四方の４枚のパネル板３３・・・が各々角部のアングル３０で接続され、下端部が前記底板部２１に接続されている。この側板部３の上縁部に、外向きの上面枠組みアングル３２が設置されており、この枠組みアングル３２に蓋部４の着脱に供される大型のキャッチクリップ１２が多数設置されている。なお、図中符号３１は側板部３の外側に設置された補強用アングル、符号１６は内側に設置された補強用アングル、符号１７は各コーナーの補強部材、をそれぞれ示している。
【００２７】
前記側板部３と底板部２で囲まれた中空内部に、スペースの仕切り兼用の水平フレーム６、５が設置されている。すなわち、前記底板部２から所定の高さ位置の内側面に、内部の枠体３４が設置されており、水平な第１水平フレーム６が３本、対峙する左右の枠体３４、３４に接続されている。そして、前記第１水平フレーム６に対して直交配置の短い第２水平フレーム５が、複数本の第１水平フレーム６・・・に跨って設置されている。第１水平フレーム６と第２水平フレーム５との交点にドラム缶１の中心が位置するように、これら水平フレーム６、５の上にドラム缶１が載置され構成である（図３参照）。
【００２８】
したがって、前記水平フレーム５、６の上側のスペースが、ドラム缶収納用スペースＳとして形成され、水平フレーム５、６の下側のスペースが、上方のドラム缶１に充填されたＰＣＢ等の廃棄物Ｐが漏れた際の当該廃棄物Ｐを吸収できる吸収用スペースＫとして形成されている。よって、この吸収用スペースＫの中に、図示を省略した吸収材を配設して好適に実施される。
【００２９】
ドラム缶収納用スペースＳの中空内部に収納されたドラム缶１・・・同士の隙間を埋める形状、例えば図３Ａに示したような平面方向視形状がＬ字状やＳ字状のガイド部材７が、収納用スペースＳの略中央レベル位置に取り付けられている。各ガイド部材７は、水平フレーム６（５）や内部枠体３４に直接又は接続体７２を介して間接的に固定して起立された丸棒７１に固定されて、所定高さを維持している。また、各ガイド部材７には、ドラム缶１の外周に沿った湾曲状受部７０が形成され、この湾曲状受部７０の内周面にフラットバー７３が取り付けられており、ドラム缶１の接触保持を安全かつ円滑ならしめている。かくして、当該容器Ａの中へのドラム缶１の収納に際して、当該ガイド部材７がドラム缶１を案内するから、簡単かつ確実にドラム缶１を所定位置に収納することができる。
【００３０】
なお、作業員がドラム缶１を容器Ａに出し入れする際には、図１Ｂにおいて符号１５で示したドラム缶吊具を用いて実施する形態が好適である。ドラム缶吊具１５は、ドラム缶１の上面縁部に着脱自在であって、複数のドラム缶吊具１５、１５は図示を省略したチェーンで接続されており、このチェーンの吊り上げ又は吊り下げによってドラム缶１の昇降が行われる。ドラム缶吊具１５は、同図図示例の如くドラム缶１に取り付けた状態で好適に運搬される。
【００３１】
また、ドラム缶運搬容器Ａの前記側板部３の外周面及び内周面に、作業員が昇降する際の補助ステップとなる階段部８、９が設けられている。すなわち、前記側板部３の正面と背面の外側面に、それぞれ突出した外側階段部８が４段ずつ略等間隔に設けられている。一方、ドラム缶収納用スペースＫにおける側板部３の正面と背面の内側面に、それぞれ外方向に突き出た凹状の内側階段部９が２段ずつ設けられている。よって、当該容器Ａの中に内側階段部９が内向きに突き出ていないので、ドラム缶１の収納に一切支障がない。作業員はこれら内外の階段部８、９を利用して容器Ａの内外へ自由に安全に出入りすることができる。
【００３２】
次に、図４と図５に示した蓋部４について説明する。この蓋部４は、前記側板部３の上端縁の上面枠組をなすアングル３２の上面に載置される枠体４０にパネル板４１が設置されている。パネル板４１の上面には補強用部材４２が設置されていると共に、蓋体４を吊り上げる把手部１３が設けられている。パネル板４１の下面（裏面）には、補強用部材４２が設置されていると共に、アングルの頂部を下向き配置とした突条部１４が外周に設置されており、この突条部１４が側板部３の上部内側へ嵌挿されることにより、容器Ａ上面への被蓋を容易ならしめている。なお、図中符号４４は、側板部３の上端のキャッチクリップ１２に対応した係止部であり、図５において斜線で示した符号４３の部分はパッキンが取り付けられ、密封状態を完全ならしめている。
【００３３】
図７に示した上下２段のドラム缶運搬容器Ａ、Ａの段積み要領について説明する。上記のドラム缶運搬容器Ａの側板部３の上部に、可倒自在な段積み受部材１０が取り付けられており、当該段積み受部材１０の起立状態で他のドラム缶運搬容器Ａを段積み可能に構成されている。詳しくは図８に示したように、側板部３の上面枠組をなすアングル３２に、上下２段の丸棒１０ｊと１０ｋを有するベース部１０ｇが設置されている。一方、段積み受部材１０の本体は、平板部１０ａと、同平板部１０ａの先端が内側に折曲しやや傾斜した傾斜部１０ｂと、同傾斜部１０ｂにつづく平坦な載置部１０ｃに形成されている。前記平板部１０ａの他端は、前記ベース部１０ｇの上側の丸棒１０ｊに係止自在なフック部１０ｅを有し、下側の丸棒１０ｋに遊着している小孔１０ｆに形成されている。
【００３４】
したがって、この段積み受部材１０を図８のように解除した状態で、蓋部４の着脱を行い、被蓋した後、同図中矢印で示したように平板部１０ａを起こしてやり、基部１０ｇの上側の丸棒１０ｊにフック部１０ｅを係止してやる。かかる図２に示した起立状態で、上方から異なる容器Ａを載置すれば、容器Ａの底板部２の枠体２１が、傾斜部１０ｂを伝って簡単かつ且つ確実に段積みを行える。また、この段積み受部材１０の起立状態で、下方の容器Ａの蓋部４から一定の高さが確保されるので、上方に異なる容器Ａが被さっても当該蓋部４の上に上側の容器Ａが直接載置されることなく、下方の蓋部４に直に荷重がかからず、当該下方の蓋部４の把主部１３等を破損せずに段積みすることができる。
【図面の簡単な説明】
【００３５】
【図１】（Ａ）はドラム缶運搬容器の正面図、（Ｂ）は（Ａ）図におけるドラム缶収納時の内部構造を示した正面図である。
【００３６】
【図２】（Ａ）はドラム缶運搬容器の側面図、（Ｂ）は（Ａ）図におけるドラム缶収納時の内部構造を示した側面図である。
【００３７】
【図３】（Ａ）はドラム缶運搬容器の内部構造を示した平面図、（Ｂ）は（Ａ）図におけるドラム缶収納時の内部構造を示した平面図である。
【００３８】
【図４】蓋部を示した正面図である。
【００３９】
【図５】蓋部を示した平面図である。
【００４０】
【図６】ドラム缶運搬容器の裏面図である。
【００４１】
【図７】ドラム缶運搬容器の段積み状態を示した正面図である。
【００４２】
【図８】段積み部材の係止要領を示した拡大図である。
【符号の説明】
【００４３】
Ａ      容器
Ｓ      ドラム缶収納用スペース
Ｋ      廃棄物吸収用スペース
Ｐ      廃棄物
１      ドラム缶
２      底板部
３      側板部
４      蓋部
５      水平フレーム
６      水平フレーム
７      ガイド部材
８      外側階段部
９      内側階段部
１０    段積み受部材
１４    突条部
【図１】
0003110446.tif 000003
【図２】
0003110446.tif 000004
【図３】
0003110446.tif 000005
【図４】
0003110446.tif 000006
【図５】
0003110446.tif 000007
【図６】
0003110446.tif 000008
【図７】
0003110446.tif 000009
【図８】
0003110446.tif 000010